(57)【要約】 【課題】  データの読み出しまたは書き込みの初期性能を維持することができる情報処理装置を提供する。【解決手段】  ケーシング１１と、ケーシング１１内に駆動可能に支持される駆動機構１２であって、磁気ディスク１６を回転駆動させるとともに、回転する磁気ディスク１６に対して相対的に変位駆動させてデータを読み出すかまたは書き込み可能な駆動機構１２と、ケーシング１１の外表面部１１ｂに配設される断熱材から成るカバー体１３とを備える。【選択図】      図１
2005327421.tif 000002
【特許請求の範囲】
【請求項１】
データの読み出しおよび書き込みの少なくともいずれか一方を行う情報処理装置において、
ケーシングと、
前記ケーシング内に駆動可能に支持される駆動手段であって、記録媒体を回転駆動させるとともに、回転する該記録媒体に対して相対的に変位駆動させてデータを読み出すかまたは書き込み可能な駆動手段と、
該ケーシングの外表面部に配設される断熱材から成るカバー体とを有することを特徴とする情報処理装置。
【請求項２】
データの読み出しおよび書き込みの少なくともいずれか一方を行う情報処理装置において、
基台と、
前記基台のうち一方の表面部に駆動可能に支持される駆動手段であって、記録媒体を回転駆動させるとともに、回転する該記録媒体に対して相対的に変位駆動させてデータを読み出すかまたは書き込み可能な駆動手段と、
該基台のうち他方の表面部に配設される断熱材から成るカバー体とを有することを特徴とする情報処理装置。
【請求項３】
前記駆動手段は、前記記録媒体を回動駆動可能なスピンドル機構と、回転する該記録媒体に対して相対的に変位駆動可能なアクチュエータ機構とを備えることを特徴とする請求項１または２に記載の情報処理装置。
【請求項４】
前記カバー体は、該駆動手段のうち少なくともスピンドル機構が設けられる部分を覆うように配設されることを特徴とする請求項３に記載の情報処理装置。
【請求項５】
前記カバー体は、該駆動手段のうち少なくともアクチュエータ機構が設けられる部分を覆うように配設されることを特徴とする請求項３に記載の情報処理装置。
【発明の詳細な説明】
【技術分野】
【０００１】
本発明は、情報処理装置に関し、たとえば磁気ディスク装置などに適用される技術に関する。
【背景技術】
【０００２】
ディスクをモータで高速回転させ、磁気ヘッドを近づけてデータの読み書きを行う磁気ディスク装置（たとえばハードディスクドライブなど）が実用に供されている。この種の磁気ディスク装置は、たとえば車載用または室外機器用として適用可能である。
【０００３】
図４は、従来の支持部材を備える磁気ディスク装置１の断面図である。近年、磁気ディスク装置１内への結露を防止すべく、基台２に、断熱材から成る支持部材３を介してスピンドル機構４およびアクチュエータ機構５を支持する技術（たとえば特許文献１参照）も提案されている。
【０００４】
【特許文献１】特開平１１−１６３２７号公報
【発明の開示】
【発明が解決しようとする課題】
【０００５】
従来の磁気ディスク装置をたとえば車載用または室外機器用として適用する場合には、磁気ディスク装置周辺が低温（たとえば０℃以下の温度）から室温（たとえば２０℃程度の温度）に急激に温度上昇すると、磁気ディスク装置内に結露が生じる。つまり車載用または室外機器用に適用される磁気ディスク装置は、主に室内で用いられるパーソナルコンピュータ用およびワークステーション用の磁気ディスク装置に比べて、使用温度および湿度範囲が広く、また外部温度勾配も大きい。
【０００６】
しかも磁気ディスク装置は、磁気ディスクと磁気ヘッドとの間隔が、たとえば約１０ｎｍと狭く、磁気ディスクと磁気ヘッドとの間に塵埃が存在すると、ヘッドクラッシュなど回復不可能な機能障害を起こす。そのため磁気ディスク装置には、装置内への塵埃の侵入を阻止するためのフィルタなどが設けられている。換言すれば、磁気ディスク装置は、フィルタが設けられる箇所以外、密封構造になっている。したがってこのような磁気ディスク装置周辺の急激な温度変化によって、磁気ディスク装置内に結露が生じるおそれがある。磁気ディスク装置内にて一旦結露すると、データの読み書きに支障をきたす場合がある。
【０００７】
特許文献１のものでは、磁気ディスク装置１内への結露は防止できるものの、装置内にて支持部材３または接着剤が剥がれるおそれがある。この剥がれた支持部材３または接着剤が発塵となり、前述のような機能障害を起こす。つまり装置内の駆動機構部に悪影響を及ぼす。しかも駆動機構部であるスピンドル機構４およびアクチュエータ機構５は、基台２に断熱材から成る支持部材３を介して支持されるので、これらスピンドル機構４およびアクチュエータ機構５の固定部分は、剛性が低下する。したがってスピンドル機構４およびアクチュエータ機構５の位置決め精度が低下し、データの読み出しおよび書き込みの初期性能を得ることが困難となる。
【０００８】
本発明の目的は、データの読み出しまたは書き込みの初期性能を維持することができる情報処理装置を提供することである。
【課題を解決するための手段】
【０００９】
本発明は、データの読み出しおよび書き込みの少なくともいずれか一方を行う情報処理装置において、
ケーシングと、
前記ケーシング内に駆動可能に支持される駆動手段であって、記録媒体を回転駆動させるとともに、回転する該記録媒体に対して相対的に変位駆動させてデータを読み出すかまたは書き込み可能な駆動手段と、
該ケーシングの外表面部に配設される断熱材から成るカバー体とを有することを特徴とする情報処理装置である。
【００１０】
本発明に従えば、情報処理装置は、データの読み出しおよび書き込みの少なくともいずれか一方を行う。この情報処理装置は、ケーシング、駆動手段およびカバー体を有する。ケーシング内には、駆動手段が駆動可能に支持されている。この駆動手段は、記録媒体を回転駆動させるとともに、回転する記録媒体に対して相対的に変位駆動させてデータを読み出すか書き込む。ケーシングの外表面部には、断熱材から成るカバー体が配設されている。
【００１１】
また本発明は、データの読み出しおよび書き込みの少なくともいずれか一方を行う情報処理装置において、
基台と、
前記基台のうち一方の表面部に駆動可能に支持される駆動手段であって、記録媒体を回転駆動させるとともに、回転する該記録媒体に対して相対的に変位駆動させてデータを読み出すかまたは書き込み可能な駆動手段と、
該基台のうち他方の表面部に配設される断熱材から成るカバー体とを有することを特徴とする情報処理装置である。
【００１２】
本発明に従えば、情報処理装置は、データの読み出しおよび書き込みの少なくともいずれか一方を行う。この情報処理装置は、基台、駆動手段およびカバー体を有する。基台のうち一方の表面部には、駆動手段が駆動可能に支持されている。この駆動手段は、記録媒体を回転駆動させるとともに、回転する記録媒体に対して相対的に変位駆動させてデータを読み出すか書き込む。基台のうち他方の表面部には、断熱材から成るカバー体が配設されている。
【００１３】
また本発明は、前記駆動手段は、前記記録媒体を回動駆動可能なスピンドル機構と、回転する該記録媒体に対して相対的に変位駆動可能なアクチュエータ機構とを備えることを特徴とする。
【００１４】
本発明に従えば、駆動手段は、スピンドル機構とアクチュエータ機構とを備える。これらのうちスピンドル機構は、記録媒体を回動駆動する。アクチュエータ機構は、回転する記録媒体に対して相対的に変位駆動する。
【００１５】
また本発明は、前記カバー体は、該駆動手段のうち少なくともスピンドル機構が設けられる部分を覆うように配設されることを特徴とする。
【００１６】
本発明に従えば、ケーシング外または基台の他方において急激な温度変化が作用しても、スピンドル機構および記録媒体付近の急激な温度変化を抑制することができる。したがって急激な温度変化に起因するスピンドル機構および記録媒体の結露を、防止することが可能となる。
【００１７】
また本発明は、前記カバー体は、該駆動手段のうち少なくともアクチュエータ機構が設けられる部分を覆うように配設されることを特徴とする。
【００１８】
本発明に従えば、ケーシング外または基台の他方において急激な温度変化が作用しても、アクチュエータ機構付近の急激な温度変化を抑制することができる。したがって急激な温度変化に起因するアクチュエータ機構の結露を、防止することが可能となる。
【発明の効果】
【００１９】
本発明によれば、ケーシング内には駆動手段が駆動可能に支持され、駆動手段は、記録媒体を回転駆動させるとともに、回転する記録媒体に対して相対的に変位駆動させてデータを読み出すか書き込む。ケーシングの外表面部には、断熱材から成るカバー体が配設されているので、ケーシング外において急激な温度変化が作用しても、ケーシング内における急激な温度変化を抑制することができる。したがって急激な温度変化に起因するケーシング内の駆動手段および記録媒体の結露を、防止することが可能となる。しかも断熱材から成るカバー体がケーシングの外表面部に配設されるので、従来技術のようなケーシングに対する駆動手段の固定部分の剛性低下を防止することができるうえ、駆動手段への発塵を防止することができる。つまりケーシングに対する駆動手段の固定部分の剛性を高く維持して駆動手段の位置決め精度の低下を防止し得るうえ、駆動手段への発塵を防止することができる。それ故、データの読み出しまたは書き込みの初期性能を維持することができる。
【００２０】
また本発明によれば、基台のうち一方の表面部には、駆動手段が駆動可能に支持され、駆動手段は、記録媒体を回転駆動させるとともに、回転する記録媒体に対して相対的に変位駆動させてデータを読み出すか書き込む。基台のうち他方の表面部には、断熱材から成るカバー体が配設されているので、基台の他方において急激な温度変化が作用しても、前記カバー体を隔てた基台の一方における急激な温度変化を抑制することができる。
【００２１】
したがって急激な温度変化に起因する基台の一方の表面部に支持される駆動手段および記録媒体の結露を、防止することが可能となる。しかも断熱材から成るカバー体が、駆動手段側の基台の一方の表面部ではなく、基台の他方の表面部に配設されるので、従来技術のような基台に対する駆動手段の固定部分の剛性低下を防止することができるうえ、駆動手段への発塵を防止することができる。つまり基台に対する駆動手段の固定部分の剛性を高く維持して駆動手段の位置決め精度の低下を防止し得るうえ、駆動手段への発塵を防止することができる。それ故、データの読み出しまたは書き込みの初期性能を維持することができる。
【００２２】
また本発明によれば、スピンドル機構は記録媒体を回動駆動し、アクチュエータ機構は、回転する記録媒体に対して相対的に変位駆動する。これらスピンドル機構およびアクチュエータ機構を用いてデータを読み出すか書き込むことができる。
【００２３】
また本発明によれば、カバー体は、スピンドル機構が設けられる部分を覆うように配設されるので、仮にケーシング外または基台の他方において急激な温度変化が作用しても、スピンドル機構および記録媒体付近の急激な温度変化を抑制することができる。したがって急激な温度変化に起因するスピンドル機構および記録媒体の結露を、防止することが可能となる。
【００２４】
また本発明によれば、カバー体は、アクチュエータ機構が設けられる部分を覆うように配設されるので、仮にケーシング外または基台の他方において急激な温度変化が作用しても、アクチュエータ機構付近の急激な温度変化を抑制することができる。したがって急激な温度変化に起因するアクチュエータ機構の結露を、防止することが可能となる。
【発明を実施するための最良の形態】
【００２５】
図１は、本発明の第１の実施形態に係る磁気ディスク装置１０を概略示す断面図である。本実施形態は、データの読み出しおよび書き込みを行うことができる磁気ディスク装置を本発明の情報処理装置に適用した場合の一例を示す。第１の実施形態に係る磁気ディスク装置１０は、たとえば車載用または室外機器用として適用される。以後、第１の実施形態に係る磁気ディスク装置１０を第１磁気ディスク装置１０と称する場合がある。
【００２６】
第１磁気ディスク装置１０は、ケーシング１１と、駆動機構１２と、第１カバー体１３と、図示外の制御装置とを有する。ケーシング１１は、たとえば薄板状の金属製板状部材から略直方体形に形成される。「略直方体形」は直方体形を含む。ケーシング１１の一部に、図示外のフィルタが設けられ、このフィルタによってケーシング１１内への塵埃の侵入を阻止するようになっている。
【００２７】
このケーシング１１内には、駆動手段としての駆動機構１２が駆動可能に支持されている。駆動機構１２は、スピンドル機構１４とアクチュエータ機構１５とを備える。ケーシング１１内の一表面部１１ａに、これらスピンドル機構１４およびアクチュエータ機構１５が設けられる。スピンドル機構１４はスピンドルモータを含み、このスピンドルモータによって、記録媒体である磁気ディスク１６を回動駆動可能である。アクチュエータ機構１５は、磁気ヘッドを備え、磁気ディスク１６と磁気ヘッドとの間隔をたとえば約１０ｎｍに保持しつつ、この磁気ヘッドを高速回転する磁気ディスク１６に対して変位駆動させる機能を有する。制御装置は、スピンドルモータつまり磁気ディスク１６を高速回転させ、高速回転する磁気ディスク１６に対して磁気ヘッドを変位駆動させてデータの読み書きを行うように制御する。
【００２８】
ケーシング１１の外表面部１１ｂには、第１カバー体１３が配設されている。第１カバー体１３は、たとえば高発泡ポリエチレンなどの断熱材から成る。この第１カバー体１３は、ケーシング１１の外表面部全体をたとえば２ｍｍ以上５ｍｍ以下の厚さでもって囲繞するように接着剤によってケーシング１１に固着される。本実施形態においては、第１カバー体１３の厚さを２ｍｍ以上５ｍｍ以下にしているが、第１カバー体１３の厚さは必ずしもこの数値に限定されるものではない。第１カバー体１３を、接着剤を用いることなく、ケーシング１１の外表面部１１ｂに固着することも可能である。たとえば第１カバー体自体の弾性復帰力を用いて、ケーシング１１の外表面部１１ｂに第１カバー体１３を設けることができる。この場合には、接着剤を省略できる分、磁気ディスク装置１０の製作コストの低減を図ることができるうえ、ケーシング１１にカバー体１３を迅速にかつ容易に設けることができる。ケーシング１１に、たとえばビスなどの締結具を用いて第１カバー体１３を固着してもよい。また高発泡ポリエチレン以外の断熱材から成る第１カバー体を、この第１磁気ディスク装置に適用してもよい。またケーシングは、非金属製の部材から形成してもよい。この場合にも本実施形態と同様の効果を奏する。第１磁気ディスク装置を、使用温度および湿度範囲が広く、また外部温度勾配も大きい室内で使用する場合もある。この場合にも本実施形態と同様の効果を奏する。
【００２９】
以上説明した第１磁気ディスク装置１０によれば、ケーシング１１内にはスピンドル機構１４およびアクチュエータ機構１５が駆動可能に支持され、スピンドル機構１４が磁気ディスク１６を回転駆動させるとともに、アクチュエータ機構１５は、回転する磁気ディスク１６に対して相対的に変位駆動させてデータを読み出すか書き込む。ケーシング１１の外表面部１１ｂには、断熱材から成る第１カバー体１３が配設されているので、ケーシング１１外において急激な温度変化が作用しても、ケーシング１１内における急激な温度変化を抑制することができる。
【００３０】
したがって急激な温度変化に起因するケーシング１１内のスピンドル機構１４、アクチュエータ機構１５および磁気ディスク１６の結露を防止することができる。しかも断熱材から成る第１カバー体１３がケーシング１１の外表面部１１ｂに配設されるので、従来技術のようなケーシングに対する駆動機構の固定部分の剛性低下を防止することができるうえ、駆動機構１２への発塵を防止することができる。つまりケーシング１１に対する駆動機構１２の固定部分の剛性を高く維持してアクチュエータ機構１５の位置決め精度の低下を防止し得るうえ、駆動機構１２への発塵を防止することができる。それ故、データの読み出しまたは書き込みの初期性能を維持することができる。
【００３１】
図２は、本発明の第２の実施形態に係る磁気ディスク装置１０Ａを概略示す断面図である。第２の実施形態に係る磁気ディスク装置１０Ａも、たとえば車載用または室外機器用として適用される。以後、第２の実施形態に係る磁気ディスク装置１０Ａを、第２磁気ディスク装置１０Ａと称する場合がある。ただし第１の実施形態と同一の部材には同一の符号を付し、その詳細な説明は省略する。
【００３２】
第２磁気ディスク装置１０Ａは、ケーシング１１と、駆動機構１２と、第２カバー体１７と、図示外の制御装置とを有する。ケーシング１１の外表面部１１ｂには、第２カバー体１７が配設されている。第２カバー体１７は、たとえば高発泡ポリエチレンなどの断熱材から成る。この第２カバー体１７は、ケーシング１１の外表面部１１ｂにおける少なくともスピンドル機構１４が設けられる部分を覆うように接着剤によって固着される。さらに第２カバー体１７は、ケーシング１１の外表面部１１ｂにおける少なくともアクチュエータ機構１５が設けられる部分を覆うように接着剤によって固着される。その他第１磁気ディスク装置１０と同様の構成となっている。
【００３３】
以上説明した第２磁気ディスク装置１０Ａによれば、ケーシング１１の外表面部１１ｂのうち、スピンドル機構１４およびアクチュエータ機構１５が設けられる部分を覆うように第２カバー体１７が設けられるので、ケーシング１１外において急激な温度変化が作用しても、ケーシング１１内において、スピンドル機構付近およびアクチュエータ機構付近の急激な温度変化を抑制することができる。第２カバー体１７は、ケーシング１１の外表面部１１ｂの一部だけに設けられるので、第１磁気ディスク装置１０のようにケーシング１１の外表面部１１ｂ全体にわたってカバー体１３を設けるものに比べて、装置一台単位のカバー体に係る費用を低減することが可能となる。その他第１磁気ディスク装置１０と同様の効果を奏する。
【００３４】
この第２の実施形態においては、ケーシング１１の外表面部１１ｂのうち、スピンドル機構１４およびアクチュエータ機構１５が設けられる部分を覆うように第２カバー体１７が設けられるが、必ずしもこれに限定されるものではない。たとえばケーシング１１の外表面部１１ｂのうち、スピンドル機構１４だけが設けられる部分だけを覆うようにカバー体を設けてもよい。たとえばケーシング１１の外表面部１１ｂのうち、アクチュエータ機構１５だけが設けられる部分だけを覆うようにカバー体を設けてもよい。これらの場合にも、前記と同様の効果を奏する。
【００３５】
図３は、本発明の第３の実施形態に係る磁気ディスク装置１０Ｂを概略示す断面図である。第３の実施形態に係る磁気ディスク装置１０Ｂも、たとえば車載用または室外機器用として適用される。以後、第３の実施形態に係る磁気ディスク装置１０Ｂを、第３磁気ディスク装置１０Ｂと称する場合がある。ただし第１または第２の実施形態と同一の部材には同一の符号を付し、その詳細な説明は省略する。
【００３６】
第３磁気ディスク装置１０Ｂは、基台１８と、駆動機構１２と、蓋部材１９と、第３および第４カバー体２０，２１と、図示外の制御装置とを有する。基台１８は、有底状でかつ底部を成す一表面部１８ａの厚み方向一方に開放するように形成されている。前記一表面部１８ａが、基台の一方の表面部に相当する。この基台１８は、たとえば薄板状の金属製板状部材から形成される。基台１８の一表面部１８ａには、駆動機構１２が駆動可能に支持されている。
【００３７】
基台１８の一表面部１８ａの外周縁部には、厚み方向一方に所定小距離延びる外周壁部１８ｂが、立設されている。この外周壁部１８ｂの延び方向の一端部に、環状のシール部材を介して蓋部材１９が固着されている。蓋部材１９は、厚み方向一方に開放する基台１８を厚み方向他方から封止するように設けられる。つまり基台１８の一表面部１８ａに支持される駆動機構１２は、蓋部材１９および環状のシール部材を用いて密封状態になっている。
【００３８】
蓋部材１９の外表面部１９ａ全体に、接着剤を介して第３カバー体２０が固着されるとともに、基台１８の他方の表面部１８ｃに、接着剤を介して第４カバー体２１が固着される。これら第３および第４カバー体２０，２１は、たとえば高発泡ポリエチレンなどの断熱材から成る。これらカバー体２０，２１のうち、第４カバー体２１は、基台１８の他方の表面部１８ｃにおける少なくともスピンドル機構１４が設けられる部分を覆うように接着剤によって固着される。さらに第４カバー体２１は、基台１８の他方の表面部１８ｃにおける少なくともアクチュエータ機構１５が設けられる部分を覆うように接着剤によって固着される。
【００３９】
以上説明した第３磁気ディスク装置１０Ｂによれば、蓋部材１９の外表面部１９ａ全体に第３カバー体２０が固着されるとともに、基台１８の他方の表面部１８ｃに第４カバー体２１が固着されるので、装置の外方において急激な温度変化が作用しても、ディスク装置内において、スピンドル機構１４付近およびアクチュエータ機構１５付近の急激な温度変化を抑制することができる。その他第２実施形態と同様の効果を奏する。
【００４０】
本発明の実施の他の形態として、光ディスク装置を本発明の情報処理装置に適用することも可能である。
【図面の簡単な説明】
【００４１】
【図１】本発明の第１の実施形態に係る磁気ディスク装置１０を概略示す断面図である。
【図２】本発明の第２の実施形態に係る磁気ディスク装置１０Ａを概略示す断面図である。
【図３】本発明の第３の実施形態に係る磁気ディスク装置１０Ｂを概略示す断面図である。
【図４】従来の支持部材３を備える磁気ディスク装置１の断面図である。
【符号の説明】
【００４２】
１０  磁気ディスク装置
１１  ケーシング
１２  駆動機構
１３  カバー体
１４  スピンドル機構
１５  アクチュエータ機構
１６  磁気ディスク
【図１】
2005327421.tif 000003
【図２】
2005327421.tif 000004
【図３】
2005327421.tif 000005
【図４】
2005327421.tif 000006